(57)【要約】【課題】より高い偽造防止効果を発揮する表示体を実現する。【解決手段】基材の一方の面側において、光反射層と少なくとも２種類の屈折率が異なる第１の誘電体層と第２の誘電体層が交互に積層されて多層膜層が設けられており、前記多層膜層を形成する前記光反射層と前記第１の誘電体層、前記第２の誘電体層のうち、少なくとも１つの層の一部領域において、前記基材との為す角が連続的に変化するように積層されて設けられている、または不連続となるように積層されて設けられていることを特徴とする表示体。【選択図】図１
2014215383.tif 000002
【特許請求の範囲】
【請求項１】
基材の一方の面側において、多層膜層が具備された表示体であって、
前記多層膜層は、光反射層と屈折率が互いに異なる少なくとも２種類の第１の誘電体層および第２の誘電体層が前記基材と略平行となるように交互に積層されて設けられており、
前記多層膜層を形成する前記光反射層と前記第１の誘電体層、前記第２の誘電体層のうち、少なくとも１つの層の一部領域において、前記基材との為す角が連続的に変化するように積層されて設けられている、または不連続となるように積層されて設けられていることを特徴とする表示体。
【請求項２】
基材の一方の面側において、多層膜層が具備された表示体であって、
前記多層膜層は、光反射層と、屈折率が互いに異なる少なくとも２種類の第１の誘電体層および第２の誘電体層が前記基材と略平行となるように交互に積層された誘電体多層膜層とによって形成されており、
前記多層膜層を形成する前記光反射層と前記第１の誘電体層および前記第２の誘電体層のうち、少なくとも１つの層の一部領域において、前記基材との為す角が連続的に変化するように積層されて設けられており、または不連続となるように積層されて設けられており、
前記光反射層が前記基材と前記誘電体多層膜層との間、または前記基材と接していない前記誘電体多層膜層の面側に設けられていることを特徴とする表示体。
【請求項３】
前記多層膜層において、前記光反射層と前記第１の誘電体層および前記第２の誘電体層による積層数が、５層以上４１層以下であることを特徴とする請求項１に記載の表示体。
【請求項４】
前記多層膜層において、前記光反射層と前記第１の誘電体層および前記第２の誘電体層による積層数が、３層以上４１層以下であることを特徴とする請求項２に記載の表示体。
【請求項５】
前記多層膜層を形成する前記第１の誘電体層および前記第２の誘電体層において、それらの層厚が各々１０ｎｍ以上１０００ｎｍ以下であることを特徴とする請求項１から４のいずれか１項に記載の表示体。
【請求項６】
請求項１から５のいずれか１項に記載の表示体において、前記基材の他方の面側、または前記基材と接していない前記多層膜層の空気界面側に接着層を設け、支持体に貼付することを特徴とする表示体付き物品。
【請求項７】
請求項１から５のいずれか１項に記載の表示体において、前記基材の他方の面側、または前記基材と接していない前記多層膜層の空気界面側に、光透過性を有する接着層を設け、光透過部を有する支持体において、少なくとも前記光透過部の一部と前記表示体が重なるように貼付されていることを特徴とする表示体付き物品。
【請求項８】
請求項１から７のいずれか１項に記載の表示体または表示体付き物品が、
自然光源下または室内光源下において観察した表示体または表示体付き物品と、前記表示体の近傍に点光源を設けて観察した表示体または表示体付き物品とが、異なる像または色相を示していることを目視確認することを特徴とする表示体または表示体付き物品の真偽判定方法。
【請求項９】
請求項１から７のいずれか１項に記載の表示体または表示体付き物品が、
自然光源下または室内光源下において撮像装置で撮影した表示体または表示体付き物品の画像と、前記表示体の近傍に点光源を設け、撮像装置で観察した表示体または表示体付き物品の画像とが、異なる像または色相を有していることを画像処理によって判別することを特徴とする表示体または表示体付き物品の真偽判定方法。
【請求項１０】
請求項８から９のいずれか１項に記載の真偽判定方法であって、
前記表示体および表示体付き物品の表裏それぞれにおいて、自然光源下または室内光源下において観察した表示体または表示体付き物品と、前記表示体の近傍に点光源を設けて観察した表示体または表示体付き物品とが、異なる像または色相を示していることを目視確認、または撮像装置にて判別することを特徴とする表示体または表示体付き物品の真偽判定方法。
【請求項１１】
請求項８から９のいずれか１項に記載の真偽判定方法であって、
前記表示体および表示体付き物品の表面において自然光源下または室内光源下において観察した表示体または表示体付き物品と、前記表示体の近傍に点光源を設けて観察した表示体または表示体付き物品とが、異なる像または色相を示していることを目視確認、または撮像装置にて判別でき、
前記表示体および表示体付き物品の裏面において、鏡面となっていることを特徴とする表示体付き物品の真偽判定方法。
【発明の詳細な説明】
【技術分野】
【０００１】
本発明は、多層構造により発現する呈色に関する表示技術を利用した表示体および表示体付き物品と、それらの真偽判定方法に関する。
【背景技術】
【０００２】
有価証券、証明書、ブランド品、電子機器および個人認証媒体などの物品は、偽造が困難であることが望まれる。そのため、このような物品には、偽造防止効果に優れた表示体を貼付ないし支持させることで偽造防止対策が施されている。
【０００３】
従来、偽造防止対策を施した種々の表示体が提案されている。例えば、特許文献１では、蛍光発光インキを用いた蛍光画像形成物のセキュリティレベルを上げるために、異なる可視光領域の波長の蛍光を発光する２種類の蛍光体を含有する蛍光画像形成物が提案されている。
【０００４】
特許文献２では、複数の基本色要素Ｃ（シアン）、Ｙ（イエロー）、Ｍ（マゼンタ）が配列された色表示面と、この色表示面に配列された基本色要素Ｃ、Ｙ、Ｍに選択的に無色蛍光インキを印刷したカラー潜像とが設けられ、紫外線が照射されたときにカラー画像として確認できるカラー潜像表示体が開示されている。
【０００５】
また、特許文献３では、凹版印刷物に対して特定の角度からのみ確認できる凹版潜像を施すことが開示されている。更に、特許文献４では、ホログラム層と光反射性層と配向膜との組み合わせによる真偽判定用媒体が開示されている。
【０００６】
その他、偽造防止対策を施した表示体に関連する技術が多く提案されている（特許文献５〜８）。
【０００７】
加えて、近年は、ホログラムを設けた真偽判定用媒体が多く用いられるようになってきた。ここで、ホログラムとはレリーフ型の回折格子により形成されるレリーフ形ホログラムと、レーザーの干渉露光により形成される体積型ホログラムとが含まれており、いずれも虹色に光る回折光が観察できることが特徴となっている。
【０００８】
ホログラムを設けた真偽判定用媒体が用いられた結果、ホログラム技術が広く認知されてしまい、偽造品の発生が増加傾向にある。そのため、回折光によって虹色に光る特徴のみでは、十分な偽造防止効果を発揮できない問題がある。
【先行技術文献】
【特許文献】
【０００９】
【特許文献１】特開平１０−２５０２１４号公報
【特許文献２】特開２００４−１８１７９１号公報
【特許文献３】特開平１１−２９１６０９号公報
【特許文献４】特開２００５−０９１７８６号公報
【特許文献５】特表２００２−５３０６８７号公報
【特許文献６】特表２００９−５３５６７０号公報
【特許文献７】特開平５−２７３５００号公報
【特許文献８】特開２００８−１３９５０８号公報
【発明の概要】
【発明が解決しようとする課題】
【００１０】
本発明は、以上のような問題を解決するためになされたもので、より高度なレベルの偽造防止効果を発揮できる表示体および表示体付き物品と、それらの真偽判定方法を提供することを目的とする。
【課題を解決するための手段】
【００１１】
上記課題を解決するために、請求項１に対応する発明は、基材の一方の面側において、多層膜層が具備された表示体であって、前記多層膜層は、光反射層と屈折率が互いに異なる少なくとも２種類の第１の誘電体層および第２の誘電体層が前記基材と略平行となるように交互に積層されて設けられており、前記多層膜層を形成する前記光反射層と前記第１の誘電体層、前記第２の誘電体層のうち、少なくとも１つの層の一部領域において、前記基材との為す角が連続的に変化するように積層されて設けられている、または不連続となるように積層されて設けられていることを特徴とする表示体である。
【００１２】
すなわち、請求項１に対応する発明は、多層膜層の一部領域において、基材との為す角が連続的に変化するように積層された層、または不連続となるように積層された層を設けることによって、より高度なレベルの偽造防止効果を発揮できる。
【００１３】
請求項２に対応する発明は、基材の一方の面側において、多層膜層が具備された表示体であって、前記多層膜層は、光反射層と、屈折率が互いに異なる少なくとも２種類の第１の誘電体層および第２の誘電体層が前記基材と略平行となるように交互に積層された誘電体多層膜層とによって形成されており、前記多層膜層を形成する前記光反射層と前記第１の誘電体層、前記第２の誘電体層のうち、少なくとも１つの層の一部領域において、前記基材との為す角が連続的に変化するように積層されて設けられており、または不連続となるように積層されて設けられており、前記光反射層が前記基材と前記誘電体多層膜層との間、または前記基材と接していない前記誘電体多層膜層の面側に設けられていることを特徴とする表示体である。
【００１４】
すなわち、請求項２に対応する発明は、多層膜層の一部領域において、基材との為す角が連続的に変化するように積層された層、または不連続となるように積層された層を設け、更に光反射層を設ける位置を前面または後面とすることによって、より高度なレベルの偽造防止効果を発揮できる。
【００１５】
請求項３に対応する発明は、前記多層膜層において、前記光反射層と前記第１の誘電体層および前記第２の誘電体層による積層数が、５層以上４１層以下であることを特徴とする請求項１に記載の表示体である。
【００１６】
請求項４に対応する発明は、前記多層膜層において、前記光反射層と前記第１の誘電体層および前記第２の誘電体層による積層数が、３層以上４１層以下であることを特徴とする請求項２に記載の表示体である。
【００１７】
請求項５に対応する発明は、請求項１から４のいずれか１項に対応する発明に記載の表示体において、前記多層膜層を形成する前記光反射層と前記第１の誘電体層および前記第２の誘電体層において、それらの層厚が各々１０ｎｍ以上１０００ｎｍ以下であることを特徴とする。
【００１８】
請求項６に対応する発明は、請求項１から５のいずれか１項に記載の表示体において、前記基材の他方の面側、または前記基材と接していない前記多層膜層の空気界面側に接着層を設け、支持体に貼付することを特徴とする表示体付き物品である。
【００１９】
請求項７に対応する発明は、
請求項１から５のいずれか１項に記載の表示体において、
前記基材の他方の面側、または前記基材と接していない前記多層膜層の空気界面側に、光透過性を有する接着層を設け、光透過部を有する支持体において、少なくとも前記光透過部の一部と前記表示体が重なるように貼付されていることを特徴とする表示体付き物品である。
【００２０】
請求項８に対応する発明は、請求項１から７のいずれか１項に記載の表示体または表示体付き物品が、自然光源下または室内光源下において観察した表示体または表示体付き物品と、前記表示体の近傍に点光源を設けて観察した表示体または表示体付き物品とが、異なる像または色相を示していることを目視確認することを特徴とする表示体または表示体付き物品の真偽判定方法である。
【００２１】
請求項９に対応する発明は、請求項１から５のいずれか１項に記載の表示体、または請求項６から７のいずれか１項に記載の表示体付き物品が、自然光源下または室内光源下において撮像装置で撮影した表示体または表示体付き物品の画像と、前記表示体の近傍に点光源を設け、撮像装置で観察した表示体または表示体付き物品の画像とが、異なる像または色相を有していることを画像処理によって判別することを特徴とする表示体または表示体付き物品の真偽判定方法である。
【００２２】
請求項１０に対応する発明は、請求項８から９のいずれか１項に記載の真偽判定方法であって、前記表示体および表示体付き物品の表裏それぞれにおいて、自然光源下または室内光源下において観察した表示体または表示体付き物品と、前記表示体の近傍に点光源を設けて観察した表示体または表示体付き物品とが、異なる像または色相を示していることを目視確認、または撮像装置にて判別することを特徴とする表示体または表示体付き物品の真偽判定方法である。
【００２３】
請求項１１に対応する発明は、請求項８から９のいずれか１項に記載の真偽判定方法であって、前記表示体および表示体付き物品の表面において自然光源下または室内光源下において観察した表示体または表示体付き物品と、前記表示体の近傍に点光源を設けて観察した表示体または表示体付き物品とが、異なる像または色相を示していることを目視確認、または撮像装置にて判別でき、前記表示体および表示体付き物品の裏面において、鏡面となっていることを特徴とする表示体付き物品の真偽判定方法である。
【発明の効果】
【００２４】
本発明によれば、より高度なレベルの偽造防止効果を発揮できる表示体を提供することが可能となる。
【００２５】
請求項１に対応する発明によれば、光反射層と、屈折率を異にする少なくとも２種類の第１の誘電体層と第２の誘電体層が前記基材と略平行となるように交互に積層された多層膜層を設けることで、その表示体から特定の呈色を確認することが可能となる。また、多層膜層を形成する光反射層と第１の誘電体層、第２の誘電体層のうち、少なくとも１つの層の一部領域において、前記基材との為す角が連続的に変化する、または不連続となるように設けることで、異なる呈色を確認可能な表示体を提供できる。異なる呈色を確認することは、従来の蛍光発光インキやホログラムの回折光による虹色の呈色の確認と異なっており、従来の偽造防止技術よりも高いレベルの偽造防止効果を有する表示体を提供することが可能となる。
【００２６】
請求項２に対応する発明によれば、光反射層と、屈折率を異にする少なくとも２種類の第１の誘電体層と第２の誘電体層が前記基材と略平行となるように交互に積層された誘電体多層膜層を設けることで、その表示体から特定の呈色を確認することが可能となる。また、多層膜層を形成する光反射層と誘電体多層膜層、更には誘電体多層膜層を形成する第１の誘電体層、第２の誘電体層のうち、少なくとも１つの層の一部領域において、前記基材との為す角が連続的に変化する、または不連続となるように設けることで、異なる呈色を観察可能な表示体を提供できる。加えて、光反射層を設ける位置を誘電体多層膜層の前面または後面へ設けることで、表裏にて略同一または異なる呈色を観察可能な表示体を提供できる。
【００２７】
請求項３に対応する発明によれば、請求項１に記載の発明の表示体において、光反射層と第１の誘電体層および第２の誘電体層による積層数が、５層以上４１層以下とすることで、異なる呈色が観察可能となる表示体を提供できる。
【００２８】
請求項４に対応する発明によれば、請求項２に記載の発明の表示体において、光反射層と第１の誘電体層および第２の誘電体層による積層数が、３層以上４１層以下とすることで、異なる呈色が観察可能となる表示体を提供できる。
【００２９】
請求項５に対応する発明によれば、多層膜層を形成する光反射層と第１の誘電体層および第２の誘電体層において、それらの層厚が各々１０ｎｍ以上１０００ｎｍ以下とすることで、可視光領域において異なる呈色が観察可能となる表示体を提供できる。
【００３０】
請求項６に対応する発明によれば、基材の他面側、または基材と接していない多層膜層の空気界面側に接着層を設け、支持体に貼付することで得られる表示体付き物品を提供できる。
【００３１】
請求項７に対応する発明によれば、基材の他面側、または基材と接していない多層膜層の空気界面側に、光透過性を有する接着層を設け、更に光透過部を有する支持体において、少なくとも光透過部の一部と表示体が重なるように貼付されていることで得られる表示体付き物品を提供できる。
【００３２】
請求項８に対応する発明によれば、請求項１から５のいずれか１項に記載の表示体、または請求項６または７のいずれか１項に記載の表示体付き物品が、自然光源下または室内光源下にて観察した時の呈色または目視確認可能な像と、近傍に点光源を設けて観察した時の呈色または目視確認可能な像が異なっていることにより、表示体または表示体付き物品の真偽の有無を容易に判定することができる。
【００３３】
請求項９に対応する発明によれば、請求項１から５のいずれか１項に記載の表示体、または請求項６または７のいずれか１項に記載の表示体付き物品が、自然光源下または室内光源下において撮像装置で撮影した画像と、前記表示体の近傍に点光源を設けて撮像装置で観察した画像とが、異なる像または呈色を有していることを画像処理によって判別し、真偽の有無を容易に判定することができる。
【００３４】
請求項１０に対応する発明によれば、請求項８または９のいずれか１項に記載の真偽判定方法において、表示体または表示体付き物品の表裏それぞれにて、自然光源下または室内光源下にて観察した時の呈色または目視確認可能な像と、近傍に点光源を設けて観察した時の呈色または目視確認可能な像が異なっていることにより、表示体または表示体付き物品の真偽の有無を容易に判定することができる。
【００３５】
請求項１１に対応する発明によれば、請求項８または９のいずれか１項に記載の真偽判定方法において、表示体または表示体付き物品の表にて、自然光源下または室内光源下にて観察した時の呈色または目視確認可能な像と、近傍に点光源を設けて観察した時の呈色または目視確認可能な像が異なっており、更に表示体または表示体付き物品の裏において、鏡面となっていることにより、表示体または表示体付き物品の真偽の有無を容易に判定することができる。
【図面の簡単な説明】
【００３６】
【図１】本発明の一態様に係る表示体の一例を示す断面図。
【図２】本発明の一態様に係る表示体の他の例を示す断面図。
【図３】本発明の一態様に係る表示体の他の例を示す断面図。
【図４】自然光源下での多層膜構造における薄膜干渉を説明する断面図。
【図５】点光源下での多層膜構造における薄膜干渉を説明する断面図。
【図６】本発明の一態様に係る表示体の他の例を示す断面図。
【図７】本発明の一態様に係る表示体の他の例を示す断面図。
【図８】本発明の一態様に係る一例を示す表示体。
【図９】図６におけるI線に沿った断面図。
【図１０】本発明の一態様に係る表示体付き物品の真偽判定方法の一例を示す模式図。
【図１１】本発明の一態様に係る表示体付き物品の真偽判定方法の他の例を示す模式図。
【図１２】本発明の一態様に係る他の例を示す表示体。
【図１３】図１０における表示体の裏面図。
【図１４】図１０におけるII線に沿った断面図。
【図１５】図１０における表示体の裏面図。
【図１６】本発明の一態様に係る表示体付き物品の真偽判定方法の他の例を示す模式図。
【図１７】本発明の一態様に係る表示体付き物品の真偽判定方法の他の例を示す模式図。
【図１８】本発明の一態様に係る表示体付き物品の真偽判定方法の他の例を示す模式図。
【図１９】本発明の一態様に係る表示体付き物品の真偽判定方法の他の例を示す模式図。
【図２０】本発明の一態様に係る表示体付き物品の、撮像装置を用いた真偽判定方法の一例を示す模式図。
【図２１】本発明の一態様に係る表示体付き物品の、撮像装置を用いた真偽判定方法の他の例を示す模式図。
【発明を実施するための形態】
【００３７】
以下、本発明の態様について、図面を参照しながら詳細に説明する。なお、各図面において、同一または類似した機能を発揮する構成要素には全て同一の参照符号を付し、重複する説明は省略する。
【００３８】
図１は、本発明の一態様に係る表示体の一例を示す断面図である。図１において、表示体１００は偽造防止手段を施した表示体であって、この表示体１００の主面に平行な方向且つ互いに直交する方向をＸ方向およびＹ方向とし、当該主面に垂直な方向をＺ方向とする。
【００３９】
表示体１００は、基材１０と、多層膜層２０とを含む構成である。さらに、多層膜層２０は第１の誘電体層１１と第２の誘電体層１２、光反射層１３とを含む構成である。
【００４０】
基材１０は、光透過性または光不透過性のいずれか、または両方を有している。また、単層構造でもよく、多層構造を有していてもよい。更には、コレステリック液晶など光学異方性を有する材料から構成されていてもよい。加えて、樹脂への染料の添加などにより、着色されていてもよく、金属、半導体、セラミック、磁性材料などからなる微粒子が添加されていてもよい。
【００４１】
また、基材１０の材料として、例えばＳｉＯ２（二酸化ケイ素）やＴｉＯ２（二酸化チタン）、ＭｇＦ２（フッ化マグネシウム）などの無機材料やそれらの混合物を使用することができる。
【００４２】
なお無機材料を基材１０とする際には、例えば、蒸着、スパッタリング、ＣＶＤ（化学気相成長）などのドライコーティング技術により形成できる。
【００４３】
多層膜層２０を形成する第１の誘電体層１１と第２の誘電体層１２は、共に光透過性を有し、屈折率差が少なくとも０．０１以上あり、０．１以上あることがより好ましい。
【００４４】
図１における表示体１００においては、第１の誘電体層１１は層厚Ｈ１、第２の誘電体層１２は層厚Ｈ２で形成されている。
【００４５】
なお、層厚Ｈ１およびＨ２は、いずれにおいても１０ｎｍ以上１０００ｎｍ以下であることが望ましい。そうすることで、後に説明する光学効果を可視光領域にて目視観察できる。また、層厚Ｈ１およびＨ２は、いずれも略同じ層厚で設けられていてもよく、異なった層厚で設けられていてもよい。
【００４６】
第１の誘電体層１１および第２の誘電体層１２は、有機材料でもよく、ＳｉＯ２（二酸化ケイ素）やＴｉＯ２（二酸化チタン）、ＭｇＦ２（フッ化マグネシウム）などの無機材料、更にはそれらの混合物を使用することができる。
【００４７】
なお、有機材料を多層膜層２０とする際には、グラビア印刷等のウェットコーティング技術または蒸着やスパッタリング、ＣＶＤによるドライコーティング技術により形成できる。更に、無機材料を多層膜層２０とする際には、蒸着やスパッタリング、ＣＶＤなどのドライコーティング技術により形成できる。
【００４８】
多層膜層２０を形成する光反射層１３は、光反射性を有するためにＡｌ（アルミ）やＡｇ（銀）、Ａｕ（金）、Ｎｉ（ニッケル）などの金属材料、または高屈折率材料により形成できる。なお、金属材料または高屈折率材料は、ドライコーティング技術またはウェットコーティング技術により形成できる。
【００４９】
また光反射層１３は、単層構造を有していてもよく、多層構造を有していてもよい。さらに、金属材料や高屈折率材料の混合物により形成されていてもよい。
【００５０】
光反射層１３を空間的に分布させるために、マスク蒸着、化学的エッチング、レーザー加工などの手法が用いられる。光反射層１３を空間的に分布させることにより、像を表現することもできる。
【００５１】
光反射層１３が設けられていることにより、後に説明する光学効果が生じやすくなり、かつ目視観察、撮像装置による認識が容易となる。
【００５２】
図１における表示体１００は、空気界面と接している第２の誘電体層１２の領域３０において、基材１０と第２の誘電体層１２が為す角が連続的に変化し、上に凸な形状となっている。こうすることで、後に説明する光学効果が生じやすくなる。なお、図１における領域３０は上に凸な形状となっているが、基材１０と為す角が連続的に変化していれば、下に凸な形状でもよく、レリーフ形状や非対称形状のようになっていてもよい。
【００５３】
また、図１における領域３０は、空気界面と接している第２の誘電体層１２に形成されているが、多層膜層２０を形成する第１の誘電体層１１、光反射層１３のいずれかの層または複数の層に領域３０が形成されていてもよい。
【００５４】
更に、第１の誘電体層１１と第２の誘電体層１２、光反射層１３に形成される領域３０は、各層の同一位置に形成されていてもよく、ランダムな位置に形成されていてもよい。加えて、領域３０が周期的に形成されていてもよい。
【００５５】
図１における表示体１００は、一例として光反射層１３が多層膜層２０の中間位置に設置している構成となっているが、基材１０に近い位置または空気界面と近い位置に設けられていてもよい。
【００５６】
図２における表示体１００は、空気界面と接している第２の誘電体層１２の領域３１において、第２の誘電体層１２が不連続に形成されている一例を示す断面図である。こうすることで、後に説明する光学効果が生じやすくなる。なお、図２における領域３１は上方向に第２の誘電体層１２が剥がれているが、下方向に剥がれていてもよい。
【００５７】
また、図２における領域３１は、空気界面と接している第２の誘電体層１２に形成されているが、多層膜層２０を形成する第１の誘電体層１１、光反射層１３のいずれかの層または複数の層に領域３１が形成されていてもよい。
【００５８】
更に、第１の誘電体層１１と第２の誘電体層１２、光反射層１３に形成される領域３１は、各層の同一位置に形成されていてもよく、ランダムな位置に形成されていてもよい。加えて、領域３１が周期的に形成されていてもよい。
【００５９】
図１および図２における表示体１００は、光反射層１３が具備された多層膜層２０が形成されるため、多層膜層による薄膜干渉を生じさせるためには、少なくとも第１の誘電体層１１と第２の誘電体層１２、光反射層１３の組み合わせが５層以上でなければならない。また、４１層以下と制限することにより、多層膜干渉による呈色変化の効果を可視光領域において様々に設計することが可能となる。
【００６０】
図３における表示体１００は、多層膜層２０が誘電体多層膜層２１と光反射層１３により形成され、光反射層１３が基材１０と誘電体多層膜層２１の間に形成されている。こうすることで、後に説明する光学効果を生じ易くなる。
【００６１】
図３における領域３０は上に凸な形状となっているが、基材１０と為す角が連続的に変化していれば、下に凸な形状でもよく、レリーフ形状や非対称形状のようになっていてもよい。また、図３においては、空気界面と接している第２の誘電体層１２に形成されているが、多層膜層２０を形成する第１の誘電体層１１、第２の誘電体層１２、光反射層１３のいずれかの層または複数の層に領域３０が形成されていてもよい。更に、第１の誘電体層１１と第２の誘電体層１２、光反射層１３に形成される領域３０は、各層の同一位置に形成されていてもよく、ランダムな位置に形成されていてもよい。加えて、領域３０が周期的に形成されていてもよい。
【００６２】
また、多層膜層２０は誘電体多層膜層２１において薄膜干渉を生じさせるため、少なくとも第１の誘電体層１１と第２の誘電体層１２の組み合わせが２層以上でなければならず、かつ多層膜層２０には光反射層１３が含まれるため、多層膜層２０としては３層以上積層されていなければならない。また、４１層以下と制限することにより、多層膜干渉による呈色変化の効果を可視光領域において様々に設計することが可能となる。
【００６３】
図３における表示体１００は、一例として光反射層１３が誘電体多層膜層２１と基材１０の間に設けられた構成となっているが、誘電体多層膜層２１の外部界面と接している側に光反射層１３が設けられた構成でもよい。
【００６４】
図１および図２、図３に示す領域３０、３１が有ることによって、多層膜層２０による薄膜干渉の振る舞いが異なるため、異なる呈色を確認することが可能となる。図４は、自然光源下または室内光源下での入射光ＩＬと反射光ＲＬ、ＲＬ´の振る舞いを示している。また、図５は、点光源ＬＳ下での入射光ＩＬと反射光ＲＬ、ＲＬ´´の振る舞いを示している。
【００６５】
ここで、自然光源とは太陽光による光源、室内光源とは蛍光灯やＬＥＤ（発光ダイオード）、有機ＥＬ（エレクトロルミネッセンス）による光源など、一般的に光源と呼ばれるもの全てが含まれる。また、点光源とは、蛍光灯やＬＥＤ、有機ＥＬなど一般的に光源と呼ばれるもののいずれかを利用した、机の上に設置できるまたは手に持てる程度のサイズの照明光源が含まれる。
【００６６】
図４において、入射光ＩＬは多層膜層２０を形成する第１の誘電体層１１、第２の誘電体層１２、光反射層１３それぞれの界面にて反射され、反射光ＲＬが互いに干渉されることで干渉色が呈色される。領域３０においても、同様に入射光ＩＬが各界面にて反射され、その反射光ＲＬ´が干渉し、干渉色を呈する。ここで、領域３０においては、第１の誘電体層１１および第２の誘電体層１２が、それぞれ基材との為す角が連続的に変化しているため、入射光ＩＬの光路長が変わり、反射光ＲＬの干渉色とは異なる干渉色を呈色することとなる。実際には、図１および図２、図３に示すように、領域３０、３１においていずれかの層が基材との為す角が連続的に変化または不連続となっていることにより、干渉色は異なる。
【００６７】
図４の領域３０にて異なる干渉色が反射光ＲＬ´により呈色されるが、領域３０が形成されている領域が狭くかつ細かいため、自然光源下または室内光源下の様に全方位的に光が照射されると、反射光ＲＬによる干渉光の光強度が強く、反射光ＲＬ´による干渉色は観察が難しい。
【００６８】
一方、図５に示すように点光源ＬＳ下においては、領域３０による反射光ＲＬ´´による干渉色の光強度が強くなるため、目視にて領域３０による干渉色の観察が容易となる。
【００６９】
図４および図５においては、多層膜層２０を形成する各層の基材との為す角が連続的に変化している領域３０について述べているが、各層が不連続となっている領域３１が設けられていても、同様に異なる干渉色を確認できる。
【００７０】
図６における表示体１００は、図１における表示体１００において、多層膜層２０を形成する第１の誘電体層１１および第２の誘電体層１２、光反射層１３が全て略同一箇所にて領域３０が形成されている断面図を示している。全ての層にて領域３０が設けられることで、上述の干渉による光学効果が確認し易くなる。
【００７１】
図７における表示体１００は、図３における表示体１００において、誘電体多層膜層２１を形成する第１の誘電体層１１および第２の誘電体層１２が、全て略同一箇所にて領域３０が形成されている断面図を示している。
【００７２】
図６および図７に示す表示体１００において、領域３０は略同一箇所に形成されている場合を示しているが、各層において異なる箇所に形成されていてもよい。また、各層が不連続となる領域３１が、略同一箇所または異なる箇所に設けられていてもよい。
【００７３】
なお領域３０、３１は、基材１０へ多層膜層２０を形成した後に、基材１０側または多層膜層２０側からエンボス加工、またはレーザーアブレーション、レーザーエングレービングなどによるレーザー加工をすることにより、得られる。更には、あらかじめ基材１０へ構造形成層を設けることで、領域３０、３１を得ることもできる。
【００７４】
図８は、表示体１００が支持体４０に貼付されることで得られる表示体付き物品２００を示している。ここで、表示体１００における領域３０は、渦巻状に形成されているとする。
【００７５】
ここで、表示体１００における領域３０は、図８のように絵柄を示していてもよく、幾何学模様や文字情報などを示していてもよい。更には、表示体１００の全面に形成されていてもよい。
【００７６】
図９は、図８における表示体付き物品２００のＩ−Ｉ線に沿った断面図を示している。表示体１００は基材１０において多層膜層２０が形成されていないもう一方の面に接着層１４が設けられることで、基材４０へ貼付され、表示体付き物品２００を形成している。
【００７７】
なお、図９における表示体１００は多層膜層２０と空気が接しているが、多層膜層２０の上部に更に保護層を設けることも可能である。加えて、図９においては、光反射層１３を基材１０と誘電体多層膜層２１との間に設けているが、誘電体多層膜層２１の空気界面側に設けられていてもよく、更にその上部に保護層を設けることも可能である。そのため、表示体１００および表示体付き物品２００の構成は、これに限らない。
【００７８】
図１０は、図８に示した表示体付き物品２００において、自然光源下または室内光源下での表示体付き物品２００を示している。また、図１１は、図８に示した表示体付き物品２００において、点光源ＬＳ下での表示体付き物品２００を示している。
【００７９】
上述した光学効果により、図１０では表示体１００における領域３０の呈色が確認できず、表示体１００の全面において多層膜層２０による干渉色が呈色されている。一方、図１１においては、点光源ＬＳが表示体付き物品２００の近傍へ設けられているため、表示体１００における領域３０の干渉色による呈色が異なり、図１１においては渦巻状の絵柄が目視観察可能となる。
【００８０】
図１２は、表示体１００が光透過部５１を有する支持体５０に貼付されることで得られる表示体付き物品２１０を示している。ここで、表示体１００における領域３０は、星型形状に形成されているとする。更に、光透過部５１に対応する領域において、領域３０が含まれるように位置合わせされて表示体１００が支持体５０に貼付されているとする。
【００８１】
また、図１３は、図１２に示した表示体付き物品２１０の裏面からの平面図を示している。光透過部５１を通して、表示体１００に設けられている領域３０を確認することが可能である。なお、図１３のように印刷部６０を設けていてもよい。
【００８２】
図１３において、印刷部６０は表示体付き物品２１０の裏面に設けているが、表面に設けていてもよく、更に表示体１００に重ねて設けられていてもよい。
【００８３】
図１４は、図１２における表示体付き物品２１０のII−II線に沿った断面図を示している。表示体１００は、基材１０において多層膜層２０が形成されていないもう一方の面に光透過性を有する接着層１５が設けられ、かつ少なくとも１つの領域３０が光透過部５１と重なるように基材５０へ貼付されることで、表示体付き物品２１０を形成している。
【００８４】
なお、図１４における表示体１００は多層膜層２０と空気が接しているが、多層膜層２０の上部に更に保護層を設けることも可能である。そのため、表示体１００および表示体付き物品２１０の構成は、これに限らない。加えて、図１４においては、光反射層１３を挟んで基材１０側と空気界面側との第１の誘電体層１１および第２の誘電体層１２それぞれの積層数が異なっているが、これらの積層数が同じであってもよい。
【００８５】
図１５は、図１２に示した表示体付き物品２１０において、自然光源下または室内光源下での表示体付き物品２１０を示しており、図１６は、点光源ＬＳ下での表示体付き物品２１０を示している。
【００８６】
上述した光学効果により、図１５では表示体１００における領域３０の呈色が確認できず、表示体１００全面には多層膜層２０による干渉色が呈色されている。一方、図１６においては、点光源ＬＳが表示体付き物品２００の近傍へ設けられているため、表示体１００における領域３０の干渉色による呈色が異なり、図１６においては星型形状の絵柄が、表示体１００全面において目視観察可能となる。
【００８７】
加えて、図１７は、図１２に示した表示体付き物品２１０の裏面における、自然光源下または室内光源下での表示体付き物品２１０を示しており、図１８は、点光源ＬＳ下での表示体付き物品２１０を示している。
【００８８】
上述した光学効果により、図１７では表示体１００における領域３０の呈色が確認できず、図１８では、点光源ＬＳによって表示体１００の領域３０における干渉色を確認することが可能となる。さらに図１８においては、印刷部６０と領域３０の組み合わせにより、図１６に示した表示体付き物品２１０の表面とは異なる絵柄が表現可能となる。
【００８９】
なお、支持体５０へ貼付する表示体１００の構成を、図３または図７のように誘電体多層膜層の上面または下面に光反射層１３を設けることにより、図１９に示す表示体付き物品２１０を得ることが可能となる。
【００９０】
図１９における表示体付き物品２１０は、光透過部５１において鏡面７０となっている。これは、表示体付き物品２１０の裏面側と、表示体１００における金属層１３が同一面側に設けられた際に可能となる。
【００９１】
このように、表示体１００および表示体付き物品２００、２１０において、点光源ＬＳ下において領域３０を目視確認できることにより、表示体１００および表示体付き物品２００、２１０が真正品であると判断できる。
【００９２】
また、表示体付き物品２１０において、点光源ＬＳ下にて領域３０での呈色が異なることにより、表示体付き物品２１０が真正品であると判断できる。
【００９３】
加えて、表示体付き物品２１０において、表面側では点光源ＬＳ下にて領域３０における呈色が異なり、裏面側では光透過部５１が鏡面となっていることにより、表示体付き物品２１０が真正品であると判断できる。
【００９４】
図２０は、表示体付き物品２００に設けられている表示体１００を、撮像装置Ｃａｍにて捉えているときの模式図を示している。さらに、図２０においては、自然光源下または室内光源下での撮像のため、撮像装置Ｃａｍの画面上での画像３００は、上述した光学効果により、領域３０における呈色が確認できない。一方で、図２１のようにフラッシュ光ＦＬが照射された状態では、撮像装置Ｃａｍの画面上での画像３１０は、領域３０において異なる呈色だと確認できる。
【００９５】
このように、撮像装置Ｃａｍを利用し、フラッシュ光ＦＬを用いずに撮像した画像３００と、フラッシュ光ＦＬを用いて撮像した画像３１０を比較することにより、表示体１００および表示体付き物品２００が真正品であると判断できる。
【００９６】
上述したように、点光源ＬＳの照射による真偽判定や、撮像装置Ｃａｍを用いて真偽判定を行うことは、より簡便な真偽判定方法を提供することが可能となる。さらに、近年普及している携帯電話やスマートフォンは、点光源ＬＳや撮像装置Ｃａｍとなり得るため、すぐに真偽判定が行えることも可能となる。加えて、既に携帯電話やスマートフォンが普及していることから、真偽判定方法を提供する際のコストを抑えることが可能となる。
【００９７】
また、光学的な干渉によって得られる呈色は、通常の印刷インキとは異なる金属光沢を有しているため、通常の印刷技術による偽造は困難となる。
【００９８】
上述した表示体１００および表示体付き物品２００、２１０は、例えば、偽造防止用ラベルとして接着材などを介して印刷物やカード媒体、その他の物品に貼付して使用することができる。更に、偽造防止以外の目的で使用することができ、例えば、表示体１００および表示体付き物品２００、２１０は、玩具や学習教材または装飾品等としても利用することができる。
【００９９】
以下に、本発明の具体的実施例について説明するが、本発明はこの形態に限定されるものではない。
【実施例１】
【０１００】
ＰＥＴ（ポリエチレンテレフタラート）フィルムに、真空蒸着法によってアルミニウムを膜厚５０ｎｍ程度となるように蒸着し、光反射層を設けた。その上に、ＳｉＯ２とＴｉＯ２をそれぞれ膜厚５０ｎｍ程度となるように蒸着し、多層膜層を形成した。
【０１０１】
次に、呈色の異なる領域を形成するため、ＰＥＴフィルム側からボールペンを用いて絵柄を形成した。
【０１０２】
上記のようにして得られた表示体において、多層膜層側から観察すると、自然光源下においては絵柄が形成されていない部分、形成されている部分のいずれにおいてもマゼンタの呈色であることを目視確認できた。また、点光源下においては、絵柄部分の呈色がグリーンとなっていることを目視確認できた。
【実施例２】
【０１０３】
ＰＥＴ（ポリエチレンテレフタラート）フィルムに、真空蒸着法によってアルミニウムを膜厚５０ｎｍ程度となるように蒸着し、光反射層を設けた。その上に、ＳｉＯ２とＴｉＯ２がそれぞれ膜厚７０、５０ｎｍ程度となるように蒸着し、多層膜層を形成した。
【０１０４】
次に、呈色の異なる領域を形成するため、凹凸構造によって絵柄が形成されている金属版作製し、ＰＥＴフィルム側からその金属版を押し当てた。
【０１０５】
上記のようにして得られた表示体において、多層膜層側から観察すると、自然光源下においては絵柄が形成されていない部分、形成されている部分のいずれにおいてもブルーの呈色であることを目視確認できた。また、点光源下においては、絵柄部分の呈色がグリーンとなっていることを目視確認できた。さらに、点光源を動かすと、絵柄部分の呈色がマゼンタへ変化することも目視確認できた。
【実施例３】
【０１０６】
ＰＥＴ（ポリエチレンテレフタラート）フィルムに、構造を形成するために、紫外線硬化性樹脂をグラビアロールコーターで塗工し、構造形成用フィルムとした。
【０１０７】
次に、紫外線硬化性樹脂へ、後に呈色の異なる領域と対応する構造を形成するために、凹凸構造によって絵柄が形成されている金属版を作製した。
【０１０８】
次に、紫外線硬化性樹脂金属版に押し当て、メタルハライドランプによる紫外線を照射し、紫外線硬化性樹脂硬化後、金属版を剥離することにより絵柄を形成している凹凸構造を形成した。その後、凹部構造上に真空蒸着法によってアルミニウムを膜厚５０ｎｍ程度となるように蒸着し、光反射層を設けた。更にその光反射層上に、ＳｉＯ２とＴｉＯ２をそれぞれ膜厚５０ｎｍ程度となるように蒸着し、多層膜層を形成した。
【０１０９】
上記のようにして得られた表示体において、多層膜層側から観察すると、自然光源下においては絵柄が形成されていない部分、形成されている部分のいずれにおいてもマゼンタの呈色であることを目視確認できた。また、点光源下においては、絵柄部分の呈色がグリーンとなっていることを目視確認できた。
【符号の説明】
【０１１０】
１０…構造形成層、１１…第１の誘電体層、１２…第２の誘電体層、１３…光反射層、１４、１５…接着層、２０…多層膜層、２１…誘電体多層膜層、２２…凹部構造、３０、３１…領域、４０、５０…支持体、５１…光透過部、６０…印刷部、７０…鏡面、１００…表示体、２００、２１０…表示体付き物品、３００…撮像画像、ＯＢ…観察者、ＬＳ…点光源、ＩＬ…入射光、ＲＬ、ＲＬ´、ＲＬ´´…反射光、Ｃａｍ…撮像装置、ＦＬ…フラッシュ光。
【図１】
2014215383.tif 000003
【図２】
2014215383.tif 000004
【図３】
2014215383.tif 000005
【図４】
2014215383.tif 000006
【図５】
2014215383.tif 000007
【図６】
2014215383.tif 000008
【図７】
2014215383.tif 000009
【図８】
2014215383.tif 000010
【図９】
2014215383.tif 000011
【図１０】
2014215383.tif 000012
【図１１】
2014215383.tif 000013
【図１２】
2014215383.tif 000014
【図１３】
2014215383.tif 000015
【図１４】
2014215383.tif 000016
【図１５】
2014215383.tif 000017
【図１６】
2014215383.tif 000018
【図１７】
2014215383.tif 000019
【図１８】
2014215383.tif 000020
【図１９】
2014215383.tif 000021
【図２０】
2014215383.tif 000022
【図２１】
2014215383.tif 000023